(57)【要約】      （修正有）【課題】外気温度検知手段のリード線に指などが不用意に触れることを防止する。【解決手段】空気調和装置の室外機（１）の本体ケースの天板（１１）の周縁部は下方に折れ曲がり、横長の垂下部（１１ａ）が形成されている。外気温度検知手段（５６）は、本体ケース内部のコーナー部に配置されている外気温度検知手段支持板（６１）に支持される。外気温度検知手段支持板は、カバー体（８１）でカバーされており、カバー体は、外気温度検知手段を覆うカバー本体部（８２）と、このカバー本体部から上方に延在するとともに外気温度検知手段のリード線（５６ａ）を覆う溝状のリード線カバー部（８３）とを具備している。そして、リード線カバー部の上端は、天板の垂下部の下端よりも上方または略同じ高さ位置に位置している。【選択図】図４
2006220361.tif 000002
【特許請求の範囲】
【請求項１】
室外機の本体ケース内に室外熱交換器、送風機、圧縮機および外気温度検知手段を収納している空気調和装置において、
前記本体ケースの天板はその周縁部が下方に折れ曲がって横長の垂下部が形成されており、
前記外気温度検知手段は、本体ケース内部のコーナー部に配置されている外気温度検知手段支持板に支持され、
この外気温度検知手段支持板は、本体ケース側の表面がカバー体でカバーされ、
このカバー体は、外気温度検知手段を覆うカバー本体部と、このカバー本体部から上方に延在するとともに外気温度検知手段のリード線を覆う溝状のリード線カバー部とを具備し、
このリード線カバー部の上端は、前記天板の垂下部の下端よりも上方または略同じ高さ位置に位置していることを特徴とする空気調和装置。
【請求項２】
前記室外機の内部は、仕切板で左右に区切られ、この左右の一方の側の空間が室外熱交換器および送風機が配置される熱交換器室になるとともに、前記左右の他方の側の空間が圧縮機が配置される機械室になり、
前記室外熱交換器は、熱交換器室の背面および側面に沿って略Ｌ字状に配置され、
前記カバー体のカバー本体部は、前面パネルおよび左右の側面パネルを具備し、前面パネルには横長の空気孔が形成され、
前記外気温度検知手段支持板は、その表面からカバー支持棒が突出しているとともに、前記室外熱交換器のコーナー部に取り付けられ、
前記カバー支持棒の先端部には、段部が形成されているとともに、この段部よりも先端側に係止爪が設けられており、
前記カバー支持棒の係止爪が前記空気孔に挿入され、係止爪が前面パネルの前面に係合し、かつ、前面パネルの裏面がカバー支持棒の段部に対向して、カバー支持棒がカバー体を支持しており、
前記カバー体の側面パネルと外気温度検知手段支持板とが間隔を有して、この両者の間に空気流通用の隙間が形成されることを特徴とする請求項１記載の空気調和装置。
【発明の詳細な説明】
【技術分野】
【０００１】
本発明は、室外機の本体ケース内に、バイメタルサーモなどの外気温度検知手段を収納している空気調和装置に関する。
【背景技術】
【０００２】
従来の空気調和装置では、バイメタルサーモなどの外気温度検知手段は露出した状態で、室外機の本体ケース内のコーナー部に収納されている。また、たとえば、特許文献１のように、外気温度検知手段を保護するために、外気温度検知手段をカバーするカバー体が設けられているものがある。
【特許文献１】特開２００３−１８５１９１号公報
【発明の開示】
【発明が解決しようとする課題】
【０００３】
ところで、従来の空気調和装置は、一般的に、外気温度検知手段のリード線はカバー体で覆われておらず、指などがリード線に触れるおそれがある。
【０００４】
解決しようとする問題点は、外気温度検知手段のリード線に指などが触れるおそれがある点である。
【課題を解決するための手段】
【０００５】
本発明の空気調和装置は、室外機（１）の本体ケース内に室外熱交換器（４１）、送風機（４２）、圧縮機（４６）および外気温度検知手段（５６）を収納している。そして、本体ケースの天板（１１）はその周縁部が下方に折れ曲がって横長の垂下部（１１ａ）が形成されており、外気温度検知手段は、本体ケース内部のコーナー部に配置されている外気温度検知手段支持板（６１）に支持され、外気温度検知手段支持板は、本体ケース側の表面がカバー体（８１）でカバーされ、カバー体は、外気温度検知手段を覆うカバー本体部（８２）と、このカバー本体部から上方に延在するとともに外気温度検知手段のリード線（５６ａ）を覆う溝状のリード線カバー部（８３）とを具備し、リード線カバー部の上端は、天板の垂下部の下端よりも上方または略同じ高さ位置に位置している。
【０００６】
また、室外機の内部は、仕切板（３６）で左右に区切られ、この左右の一方の側の空間が室外熱交換器および送風機が配置される熱交換器室（４３）になるとともに、前記左右の他方の側の空間が圧縮機が配置される機械室（４７）になり、室外熱交換器は、熱交換器室の背面および側面に沿って略Ｌ字状に配置され、カバー体のカバー本体部は、前面パネル（８４）および左右の側面パネル（８５）を具備し、前面パネルには横長の空気孔（８６）が形成され、外気温度検知手段支持板は、その表面からカバー支持棒（６３）が突出しているとともに、室外熱交換器のコーナー部に取り付けられ、カバー支持棒の先端部には、段部（７１）が形成されているとともに、この段部よりも先端側に係止爪（７２）が設けられており、カバー支持棒の係止爪が前記空気孔に挿入され、係止爪が前面パネルの前面に係合し、かつ、前面パネルの裏面がカバー支持棒の段部に対向して、カバー支持棒がカバー体を支持しており、カバー体の側面パネルと外気温度検知手段支持板とが間隔を有して、この両者の間に空気流通用の隙間が形成される。
【発明の効果】
【０００７】
本発明によれば、外気温度検知手段を覆うカバー本体部から、溝状のリード線カバー部が上方に延在して、外気温度検知手段のリード線を覆っており、このリード線カバー部の上端は、空気調和装置の本体ケースの天板の垂下部の下端よりも上方または略同じ高さ位置に位置している。したがって、外気温度検知手段のリード線に、指などが触れることを極力防止することができる。
【０００８】
また、カバー体の前面パネルの横長の空気孔に、カバー支持棒の係止爪が挿入されて、このカバー支持棒の係止爪および段部により、カバー体が外気温度検知手段支持板に支持されている。したがって、係止爪用に別途孔を形成する場合に比して、加工などが容易となるとともに、見栄えが良好となる。しかも、カバー体の側面パネルと外気温度検知手段支持板とが間隔を有して、この両者の間に空気流通用の隙間が形成されているので、カバー支持棒に段部を設けずに、カバー体の側面パネルを支持板に当接させて、カバー体を支持する場合に比して、側面パネルの幅を短くすることができ、材料費などを削減することができるとともに、側面パネルと支持板との間の空気流通用の隙間により、外気温度検知手段への空気の流れを円滑にすることができる。
【発明を実施するための最良の形態】
【０００９】
外気温度検知手段のリード線に指などが不用意に触れることを防止するという目的を、外気温度検知手段を覆うカバー本体部から、溝状のリード線カバー部が上方に延在して、外気温度検知手段のリード線を覆うとともに、このリード線カバー部の上端を、空気調和装置の本体ケースの天板の垂下部の下端よりも上方または略同じ高さ位置に位置させることで実現した。
【実施例１】
【００１０】
次に、本発明における空気調和装置の一実施例について、図１ないし図５を用いて説明する。図１は本発明にかかわる空気調和装置の室外機の斜視図である。図２は室外機の主要部品の分解斜視図である。図３は室外機の概略の平断面図である。図４は外気温度検知手段支持板およびカバー体の説明図で、（ａ）が組み立て分解斜視図、（ｂ）が支持板の上部側面図である。図５は組み立てられた状態の支持板およびカバー体の説明図である。なお、図５において、支持板およびカバー体は分かり易いように断面で図示されている。
【００１１】
エアコンなどの空気調和装置の室外機１の外郭を構成する本体ケースは、略矩形の底板６、前面板７、左右側板８，９および天板１１を具備している。前面板７には、前面開口１６が設けられ、この前面開口１６にグリル１７が取り付けられる。左側の側板８には、細長い隙間の空気孔１８が複数設けられているとともに、その後端部は背面側（右側）に折れ曲がり、背面端板１９が上下方向に細長く延在して形成されている。なお、この背面端板１９には、空気孔は形成されていない。
【００１２】
また、右側の側板９は、その後部が背面側（左側）に折れ曲がり、機械室背板２３が形成されている。左側の側板８の背面端板１９と、右側の側板９の機械室背板２３との間の空間が、室外機１の背面開口２６となる。この通風用開口としての背面開口２６を内側から覆うように、網目状のネット３１が配置される。さらに、右側の側板９には、外側に取り出される冷媒配管や電線コードを覆うカバー３３が取り付けられる。
【００１３】
天板１１は、平面図視において略矩形をしているとともに、その周縁部が下方に折れ曲がって横長の垂下部１１ａが形成されている。
【００１４】
室外機１の内部空間は、仕切板３６で左右に区切られ、左側の室が室外熱交換器４１および送風機４２が配置される熱交換器室４３となり、また、右側の室が圧縮機４６が配置される機械室４７となっている。送風機４２の翼板４２ａはモーター４２ｂに取り付けられている。この送風機４２は送風機支持板４９で支持されている。そして、送風機４２が稼働すると、左側の側板８の空気孔１８および背面開口２６から外気が熱交換器室４３内に吸い込まれ、室外熱交換器４１で熱交換した後に、前面開口１６から吐き出される。
【００１５】
室外熱交換器４１は、両管板５１間に熱交換用のフィン５２が多数枚配列されているとともに、管板５１およびフィン５２を貫通しながら冷媒配管５３が蛇行して配管されており、冷媒配管５３の略Ｕ字状の部分が両管板５１から突出している。この室外熱交換器４１は、室外機１の熱交換器室４３の左側面および背面に沿って略Ｌ字状に配置されている。
【００１６】
外気温度検知手段としてのバイメタルサーモ（いわゆる、速調サーモ）５６（図５参照）が、熱交換器室４３の左側後部のコーナー部に配置されている。このサーモ５６は、外気温度を検知して送風機４２を制御するためのものであり、外気温度が高い場合には送風機４２の回転数を高くして、室外熱交換器４１を効率よく空冷して空気調和装置の冷凍能力を向上させるとともに、送風機４２のモーター４２ｂを効率よく冷却する。そして、このサーモ５６には、送風機４２に供給される電圧と略同じ値の高い電圧が供給される。
【００１７】
次に、サーモ５６の取付構造を説明する。
サーモ５６を支持する外気温度検知手段支持板６１は、室外熱交換器４１のコーナー部の冷媒配管５３に取り付けられる。そして、図４および図５において、支持板６１は、取付部６２、一対のカバー支持棒６３、一対のサーモ支持棒６４およびビス取付棒６６を具備している。取付部６２は支持板６１の背面側（室外熱交換器４１側）に設けられ、冷媒配管５３に係止される。
【００１８】
一方、カバー支持棒６３、サーモ支持棒６４およびビス取付棒６６は、支持板６１の正面側（外側）に突出して設けられている。カバー支持棒６３の先端部には、段部７１が形成されているとともに、この段部７１よりも先端側に係止爪７２が設けられている。サーモ支持棒６４の先端部にサーモ５６が装着される。
【００１９】
支持板６１に取り付けられたサーモ５６およびそのリード線５６ａは、カバー体８１によりカバーされる。カバー体８１は、サーモ５６を覆うカバー本体部８２、および、リード線５６ａを覆うリード線カバー部８３を具備している。カバー本体部８２は、支持板６１側が開口している箱状をしているとともに、その内部空間はリード線カバー部８３の内部空間と連通している。このカバー本体部８２の前面パネル８４には、横長の空気孔８６が上下方向に複数段形成されているとともに、下部にネジ用貫通孔８７が形成されている。また、カバー本体部８２の側面パネル８５にも空気孔８６が上下方向に複数段形成されている。そして、リード線カバー部８３は室外熱交換器４１側が開口する溝状で、カバー本体部８２から上方に延在しており、上部にはひも状のクランパー８８を取り付けるための切欠部８９が形成されている。
【００２０】
そして、サーモ５６の装着は、下記のようにして行われる。
まず始めに、支持板６１のサーモ支持棒６４にサーモ５６を取り付ける。ついで、サーモ５６の取り付けられた支持板６１の係止爪７２を、カバー体８１の前面パネル８４の上側の空気孔８６に挿入する。すると、図５に図示するように、係止爪７２が前面パネル８４の前面に係合するとともに、カバー支持棒６３の段部７１が前面パネル８４の裏面に対向し、カバー体８１の上部が支持板６１のカバー支持棒６３に支持される。
【００２１】
そして、ネジ９１を貫通孔８７に挿入して支持板６１のビス取付棒６６にネジ止めして、カバー体８１と支持板６１とを組み立てる。また、サーモ５６のリード線５６ａは、カバー本体部８２内からリード線カバー部８３内に導き、リード線カバー部８３の上端から取り出される。そして、リード線５６ａがリード線カバー部８３の溝から外れないように、切欠部８９の位置において、クランパー８８で止める。ついで、支持板６１の取付部６２を、室外熱交換器４１の冷媒配管５３に係合させて、支持板６１を室外熱交換器４１に取り付ける。そして、取り付けられた状態では、リード線カバー部８３の上端は、天板１１の垂下部１１ａの下端よりも上方に位置している。また、カバー体８１の側面パネル８５の幅は、カバー支持棒６３よりも短く、図５に図示するように、カバー体８１の側面パネル８５と支持板６１とはサイドから見て間隔を有しており、両者の間に空気流通用の隙間が形成される。
【００２２】
この様にして、サーモ５６のリード線５６ａは、リード線カバー部８３にカバーされた状態で、天板１１の垂下部１１ａ付近まで導かれるので、指などがリード線５６ａに触れることを極力防止することができる。
【００２３】
また、カバー支持棒６３の係止爪７２が、カバー体８１の空気孔８６に挿入されることにより、カバー体８１は支持板６１に支持されており、係止爪７２用に別途孔を形成する場合に比して、加工などが容易となるとともに、見栄えが良好となる。
【００２４】
さらに、係止爪７２が設けられているカバー支持棒６３に、段部７１が設けられ、この段部７１でカバー体８１を支持しており、カバー体８１の側面パネル８５と支持板６１とが間隔を有し、両者の間に空気流通用の隙間が形成される。したがって、段部７１を設けずに、カバー体８１の側面パネル８５を支持板６１に当接させて、カバー体８１を支持する場合に比して、側面パネル８５の幅を短くすることができ、材料費などを削減することができるとともに、側面パネル８５と支持板６１との間の空気流通用の隙間により、サーモ５６への空気の流れを円滑にすることができる。
【００２５】
そして、サーモ５６は、空気調和装置の室外機１の側板８と背面端板１９とのコーナーの内側に位置している。この側板８と背面端板１９とのコーナー部分には空気孔１８が設けられておらず、指などがカバー体８１、サーモ５６や支持板６１に接触することを極力防止することができる。
【００２６】
また、外気温度検知手段支持板６１は、室外熱交換器４１の冷媒配管５３を利用して取り付けられており、外気温度検知手段支持板６１を取り付けるための専用の部材を室外熱交換器４１に設ける必要がない。したがって、取付コストを削減することができる。
【００２７】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）熱交換器室４３は左側に、また、機械室４７は右側に配置されているが、左右逆に配置されていることも可能である。この場合には、この明細書に記載の左側は右側に、また、右側は左側に読み替えられる。
【００２８】
（２）外気温度検知手段は、外気温度を検知することができるならば、必ずしも、バイメタルサーモである必要はない。ただし、供給電圧の高いバイメタルサーモに適応することが最適である。
（３）カバー体８１や支持板６１の材質などは適宜選択可能である。
【００２９】
（４）カバー支持棒６３や空気孔８６などの形状および個数は適宜選択可能である。ただし、空気孔８６は横長にし、かつ、カバー支持棒６３は左右一対設けることが好ましい。
（５）カバー体８１のリード線カバー部８３の上端は、実施例では、天板１１の垂下部１１ａの下端よりも上方に位置しているが、天板１１の垂下部１１ａの下端と略同じ高さ位置に位置していることも可能である。ただし、指などがリード線５６ａと接触することをより確実に防止するためには、リード線カバー部８３の上端は、天板１１の垂下部１１ａの下端および室外熱交換器４１の上端よりも上方に位置していることが好ましい。
【産業上の利用可能性】
【００３０】
外気温度検知手段を覆うカバー本体部から、溝状のリード線カバー部が上方に延在して、外気温度検知手段のリード線を覆うとともに、このリード線カバー部の上端を、空気調和装置の本体ケースの天板の垂下部の下端よりも上方または略同じ高さ位置に位置させることにより、外気温度検知手段のリード線に指などが不用意に触れることを防止することができる。そのため、室外機の本体ケース内に外気温度検知手段（特に、送風機への供給電圧と略同じ電圧の流れるバイメタルサーモ）が設けられた空気調和装置に適用することが最適である。
【図面の簡単な説明】
【００３１】
【図１】図１は本発明にかかわる空気調和装置の室外機の斜視図である。
【図２】図２は室外機の主要部品の分解斜視図である。
【図３】図３は室外機の概略の平断面図である。
【図４】図４は外気温度検知手段支持板およびカバー体の説明図で、（ａ）が組み立て分解斜視図、（ｂ）が支持板の上部側面図である。
【図５】図５は組み立てられた状態の支持板およびカバー体の説明図である。
【符号の説明】
【００３２】
１  室外機
１１  天板
１１ａ  天板の垂下部
３６  仕切板
４１  室外熱交換器
４２  送風機
４３  熱交換器室
４６  圧縮機
４７  機械室
５６  サーモ（外気温度検知手段）
５６ａ  サーモのリード線
６１  外気温度検知手段支持板
６３  カバー支持棒
７１  カバー支持棒の段部
７２  カバー支持棒の係止爪
８１  カバー体
８２  カバー本体部
８３  リード線カバー部
８４  カバー本体部の前面パネル
８５  カバー本体部の側面パネル
８６  カバー体の空気孔
【図１】
2006220361.tif 000003
【図２】
2006220361.tif 000004
【図３】
2006220361.tif 000005
【図４】
2006220361.tif 000006
【図５】
2006220361.tif 000007